(57)【特許請求の範囲】
【請求項１】
閉鎖型スプリンクラヘッドの感熱部が外的被害を受けることにより変色する異常状態表示手段を備えた閉鎖型スプリンクラヘッドのインジケータであって；
前記異常状態表示手段が、一定の荷重以上の外力が加わったときに変色する衝撃シートで形成されていることを特徴とする閉鎖型スプリンクラヘッドのインジケータ。
【請求項２】
閉鎖型スプリンクラヘッドの感熱部が外的被害を受けることにより変色する異常状態表示手段を備えた閉鎖型スプリンクラヘッドのインジケータであって、
前記異常状態表示手段が、一定の温度以上になると変色する示温物質を含む感熱シートと、一定の荷重以上の外力が加わったときに変色する衝撃シートと、を重合して形成されていることを特徴とする閉鎖型スプリンクラヘッドのインジケータ。
【請求項３】
閉鎖型スプリンクラヘッドの感熱部が外的被害を受けることにより変色する異常状態表示手段を備えた閉鎖型スプリンクラヘッドのインジケータであって；
異常状態表示手段が、水を充填した上層と、該上層を破るピンと発熱体とを備えた中層と、示温物質を含む樹脂製の下層と、から形成されていることを特徴とする閉鎖型スプリンクラヘッドのインジケータ。
【請求項４】
請求項１、２、又は、３記載の閉鎖型スプリンクラヘッドのインジケータが、該ヘッドの感熱部又はその近傍に装着されていることを特徴とする閉鎖型スプリンクラヘッド。
【発明の詳細な説明】
【０００１】
【発明の属する技術分野】
この発明は、閉鎖型スプリンクラヘッドの感熱部が外的被害を受け異常状態となっているか否かを確認するためのインジケータ及びそれを装着した閉鎖型スプリンクラヘッドに関するものである。
【０００２】
【従来の技術】
閉鎖型スプリンクラヘッドの感熱部は、コンプレッション半田を有する弁支持機構を備えている。このヘッドは、火災発生により、該コンプレッション半田が溶融して該弁支持機構が分解し開放される。
【０００３】
【発明が解決しようとする課題】
従来の閉鎖型スプリンクラヘッドでは、火災以外の短時間に高温度の環境に晒されると、該半田が完全に溶融しない場合があり、この時該弁支持機構は、作動の状態に至らず、所謂作動直前の状態で止まってしまう場合がある。
又、感熱部に障害物が衝突し大きな外力を受けると、弁支持機構の部品が変形し、弁支持機構の組立荷重が開放するが、完全に解放されないため作動状態に至らず、所謂作動直前の状態で止まってしまう場合がある。また、弁支持機構の部品が異常変形し正常動作できなくなる場合がある。
【０００４】
この作動直前の状態は、経年変化、即ち、クリープ現象、が進行した状態とも言えるため、通常の使用環境でも作動してしまう恐れがある。所謂寿命が短くなっている状態である。
【０００５】
この状態の場合には、感熱部自体を元の状態に戻すことが難しいので、通常は新品と交換しなければならない。
ところが、この作動直前の状態は、外観では分かりにくいので、異常状態にある感知部を発見することは困難である。そのため、作動直前の状態にある感知部を適宜新品と交換することは容易でない。
【０００６】
この発明は、簡単に感熱部の異常状態を発見できる様にすることを目的とする。
【０００７】
【課題を解決するための手段】
この発明は、 閉鎖型スプリンクラヘッドの感熱部が外的被害を受けることにより変色する異常状態表示手段を備えた閉鎖型スプリンクラヘッドのインジケータであって；前記異常状態表示手段が、一定の荷重以上の外力が加わったときに変色する衝撃シートで形成されていることを特徴とする閉鎖型スプリンクラヘッドのインジケータ、である。
この発明は、閉鎖型スプリンクラヘッドの感熱部が外的被害を受けることにより変色する異常状態表示手段を備えた閉鎖型スプリンクラヘッドのインジケータであって、前記異常状態表示手段が、一定の温度以上になると変色する示温物質を含む感熱シートと、一定の荷重以上の外力が加わったときに変色する衝撃シートと、を重合して形成されていることを特徴とする閉鎖型スプリンクラヘッドのインジケータ、である。
この発明は、閉鎖型スプリンクラヘッドの感熱部が外的被害を受けることにより変色する異常状態表示手段を備えた閉鎖型スプリンクラヘッドのインジケータであって； 異常状態表示手段が、水を充填した上層と、該上層を破るピンと発熱体とを備えた中層と、示温物質を含む樹脂製の下層と、から形成されていることを特徴とする閉鎖型スプリンクラヘッドのインジケータ  、である。
【０００８】
【発明の実施の形態】
閉鎖型スプリンクラヘッドのインジケータは、該ヘッドに合うように形成され、異常状態表示手段と固定手段とを備えている。
【０００９】
異常状態表示手段は、感知部の異常を色により表示するもので、裏層、中層、表層とからなる。この裏層はベースで、例えば、硬質のポリエチレン樹脂により形成され、中層は、熱を受けることにより変色する感熱シートで、例えば、発熱体により形成され、表層は外力を受けることにより変色する衝撃シートで、例えば、軟質のシリコン樹脂、により形成されている。
【００１０】
この各層の材料は、必要に応じて適宜選択することができる。
この異常状態手段の形状の大きさ等は、集熱や放水等に悪影響を与えない範囲で、適宜選択される。
この異常状態表示手段は必ず三層にする必要はなく、例えば、ベースに感熱シートだけを重合したり、ベースに衝撃シートだけを重合してもよい。
【００１１】
固定手段は、爪を有する複数の係合レバーにより構成されている。
この固定手段は、閉鎖型スプリンクラヘッドの感熱板に着脱可能であり、かつ、放水や集熱等に悪影響を及ぼさない範囲内で、その形状や構造等は自由に選択することができる。
【００１２】
閉鎖型スプリンクラヘッドにインジケータの固定手段を係止させ、装着する。該感熱部が火災以外の高温、例えば、暖房装置の異常な熱風などによる高温、を受けると、感熱シートが変色し、又、該感熱部が障害物に衝突すると、衝撃シートが変色し、感知部が異常状態であることを表示する。
【００１３】
【実施例】
この発明の実施例を図１〜図４により説明する。
閉鎖型スプリンクラヘッド１のインジケータ２は、異常状態表示手段ＡＳと固定手段ＫＳとから構成されている。
【００１４】
異常状態表示手段ＡＳは、下面表示部５と側面表示部６とから構成されている。この下面表示部５は、扇状の空間部５ａを挟む様に形成された複数のリブ５Ｒにより構成されている。側面表示部６は、円錐台状の側壁６Ｗにより構成されているが、この側壁６Ｗに図示しない気流通孔を設け、熱気流が感熱板１ａ、１ｂに直接接することができるようにしても良い。
【００１５】
両表示部５、６は、図３に示すように、裏層７、中層８、表層９とから構成されている。表層７は、ベースであり、硬質のポリエチレン樹脂により形成されている。  中層８は、例えば、サーモペイントのような所定の示温物質を含む白色の感熱シートであり、一定温度以上、例えば、１００度、に加熱されると赤色に変色する。このサーモペイントは商品名（日油技研工業株式会社製）である。
また、サーモペイントの他に示温物質としてのＮＨ4ＶＯ3やスピロピラン化合物を用いても良い。
表層９は、着色カプセルを混入した透明な衝撃シートであり、一定の荷重以上、例えば、１ｋｇｆ／ｃｍ2の力が加わると、着色カプセルが破泡し、該シートが黄色に変色する。この表層９は、例えば、シリコン樹脂により形成される。
【００１６】
中層８と表層９とは、異なる色に変色するが、両者共一度着色すると、元に戻らず変色もほとんどしない。なお、表層９は透明であり、通常中層８は外部から見える状態にある。
【００１７】
固定手段ＫＳは、係合レバー１０であり、このレバー１０は、可撓性のあるアーム部１１と爪部１２とから構成されている。この係合レバー１０は合成樹脂により形成されるが、その材料は特に限定されるものではない。
閉鎖型スプリンクラヘッド１にインジケータ２の爪部１２を係合して該インジケータ２を該ヘッド１に固定する。
なお、このインジケータ２は該ヘッド１作動時に該ヘッド１から外れ飛散するように固定されている。
【００１８】
次に、本実施例の作動につき説明する。
感熱部ＨＳが火災以外で短時間に高温度、例えば、１００度の温度、の環境に晒されると、コンプレッション半田２０が溶融し始め、作動直前の状態となる。この時、感熱シート８は一定の温度以上に加熱されると、所定の色、例えば、赤色に変色するので、該コンプレッション半田２０が作動直前の状態にあることがわかる。この感熱シート８の変色は、衝撃シート９が透明なので外部から確認することができる。
【００１９】
感熱部ＨＳが棒体等の障害物により表層９を介して外力を与えられると、弁支持機構の部品が変形する。この時、該表層９に一定の荷重以上の力が加わり、着色カプセルが破泡し、衝撃シート９を所定の色、例えば、黄色に変色するので、感熱部ＨＳの弁支持機構の部品が変形し、円滑な開弁に故障をきたす可能性があることを外部から確認できる。なお、図において、Ｐは天井Ｆと閉鎖型スプリンクラヘッド１との隙間Ｓを隠すためのシーリングプレート、である。
【００２０】
この発明の第２実施例を図５により説明する。
この実施例と第１実施例（図１〜図４）との相違点は、異常状態表示手段ＡＳを次の様に構成したことである。
下層３０はポリエチレンで形成されているが、この層には、示温物質としてのサーモンペイントが含まれている。
中層３２は、発熱体３２ａと金属製のピン３２ｂとから構成されている。
上層３５は、上膜３５ａと下膜３５ｂとの間に充填されてた水３６により形成されている。この上膜３５ａは、ポリエチレンで形成された薄膜であり、又、下膜３５ｂは塩化ビニリデンにより形成された薄膜である。
【００２１】
異常状態表示手段ＡＳの下層３０が衝撃力を受け押圧されると、ピン３２ｂが下膜３５ｂを破り、上層３５の水３６が中層３２に流れ込み、発熱体３２ａと接触して発熱させる。そのため、サーモペイントを含む下層３０が温められるので、該下層３０は非可逆的に変色する。
又、異常状態表示手段ＡＳに外部から熱が加わると、サーモペイントが非可逆的に変色する。なお、発熱体の代わりに吸熱体を用い、低温域で変色する示温物質を用いて上記実施形態２を適用することも可能である。
【００２２】
本発明の実施例は、上記に限定されるものではなく、例えば、閉鎖型スプリンクラヘッドとして、感熱部にコンプレッション半田を用いる代わりに、グラスバルブを設けたものでも良い。又、感熱シート及び衝撃シートを異常状態の程度により色の濃さが変化するようにしても良い。
なお、インジケータ２を感熱板１ａなどと同様の形状に加工し、当該インジケータ２の片面に接着剤又は両面テープをつけ、直接感熱板１ａなどにインジケータ２を設けるようにしても良い。
【００２３】
【発明の効果】
この発明は以上の様に構成したので、閉鎖型スプリンクラヘッドの感熱部が火災以外の高温に晒されたり、外的衝撃力が加えられたりして、異常状態になると、異常状態表示手段が変色する。そのため、該感知部の異常を外見的に簡単に検出することができる。このため、ヘッドの暴発事故や作動不良事故を未然に防止することができる。
【図面の簡単な説明】
【図１】本発明の実施例を示す図２のＩ−Ｉ線縦断面図である。
【図２】本発明の実施例を示す平面図である。
【図３】異常状態表示手段の要部拡大断面図である。
【図４】使用状態を示す図である。
【図５】本発明の第２実施例を示す縦断面で、図３に相当する図である。
【符号の説明】
１        閉鎖型スプリンクラヘッド
２        インジケータ
５        下面表示部
６        側面表示部
１１        アーム部
１２        爪部
ＡＳ        異常状態表示手段
ＫＳ        固定手段
【図１】
0003807640.tif 000002
【図２】
0003807640.tif 000003
【図３】
0003807640.tif 000004
【図４】
0003807640.tif 000005
【図５】
0003807640.tif 000006